(57)【要約】【課題】弾性的に折り曲げられたテープ状の回路部品であるＴＣＰを確実に筐体の側面に保持できる表示装置を提供する。【解決手段】筐体１の上面に載置された表示パネルである液晶パネル２と、この液晶パネル２に一端部３ａが接続され、弾性的に折り曲げられて筐体１の側面に配置されたＴＣＰ３と、よりなり、筐体１の側面に、ＴＣＰ３の他端部３ｂが挿し込まれＴＣＰ３の弾性的な戻り移動を規制する規制部材４と、他端部３ｂに対向する凹部１ａと、を設けている。【選択図】      図２
2004177531.tif 000002
【特許請求の範囲】
【請求項１】
筐体の上面に載置された表示パネルと、この表示パネルに一端部が接続され、弾性的に折り曲げられて前記筐体の側面に配置されたテープ状の回路部品と、よりなる表示装置において、
前記筐体の側面に、前記回路部品の他端部が挿し込まれ前記回路部品の弾性的な戻り移動を規制する規制部材と、前記他端部に対向する凹部と、を設けたことを特徴とする表示装置。
【請求項２】
筐体の上面に載置された表示パネルと、この表示パネルに一端部が接続され、弾性的に折り曲げられて前記筐体の側面に配置されたテープ状の回路部品と、よりなる表示装置において、
前記筐体の側面に、前記回路部品の両側部各々が挿し込まれ前記回路部品の弾性的な戻り移動を規制する一対の規制部材と、前記両側部各々に対向する一対の凹部と、を設けたことを特徴とする表示装置。
【請求項３】
前記筐体が樹脂製であって、前記規制部材が前記筐体と一体的に成形されることを特徴とする請求項１又は２に記載の表示装置。
【請求項４】
前記規制部材が金属板から成形されることを特徴とする請求項１又は２に記載の表示装置。
【発明の詳細な説明】
【０００１】
【発明の属する技術分野】
本発明は、液晶表示装置等のように表示パネルを備えたフラットパネル形の表示装置に関し、特に、表示パネルに接続されたＴＣＰ（Ｔａｐｅ  Ｃａｒｒｉｅｒ  Ｐａｃｋａｇｅ：テープ・キャリア・パッケージ）等のテープ状の回路部品が、弾性的に折り曲げられて筐体の側面に配置された表示装置に関する。
【０００２】
【従来の技術】
従来より、この種の表示装置としては、液晶表示装置、プラズマディスプレイ装置、エレクトロルミネッセンス装置等がよく知られている。これらのうち液晶表示装置は、携帯情報端末、ノート型パーソナル・コンピュータ、デスクトップ型パーソナル・コンピュータのディスプレイ等に用いられており、表示装置の代表格として一般に広く普及している。以下、液晶表示装置を表示装置の代表例として説明する。
【０００３】
近年、液晶表示装置は、これを搭載する電子機器の小型軽量化への動向から、より一層の小型化が要求され、特に、液晶表示装置の上面のうち画像表示領域を除いた額縁部分の面積をいかに小さくするかが１つの課題であった。この課題に対して従来の液晶表示装置は、図７に示すように、外枠を構成する筐体１０１の上面に表示パネルである液晶パネル１０２が載置されており、この液晶パネル１０２に一端部１０３ａが接続されるとともに他端部１０３ｂが回路基板１０４に接続された、可撓性を有するテープ状の回路部品であるＴＣＰ１０３が、スリット部１０３ｃで弾性的に折り曲げられて筐体１０１の側面に配置されている。これにより、上記した額縁部分の面積を格段に小さくすることが可能となり、液晶表示装置の小型化を達成できる。
【０００４】
ここで、ＴＣＰ１０３の他端部１０３ｂ側には、スリット部１０３ｃを中心に折り曲げ方向とは反対の方向に弾性的な戻り力が作用する（図中の白抜き矢印参照）。そのため、この戻り力によるＴＣＰ１０３の戻り移動を規制すべく、筐体１０１の側面には、回路基板１０４の先端部を引っ掛けて保持する鉤状のフック部１１０が設けられている（例えば、特許文献１参照）。なお、１０５は不図示の光源からの光をバックライトとして液晶パネル１０２へ導くための導光板、１０６は導光板１０５の上面に貼着された光学シート、１０７は導光板１０５の下面に貼着された反射シート、１０８は筐体１０１内に固定され導光板１０５、光学シート１０６及び反射シート１０７を収容して保持する保持板である。
【０００５】
【特許文献１】
特開２００１−８３８９７号公報（第５−６頁、第３−４図）
【０００６】
【発明が解決しようとする課題】
ところでここ最近では、コストダウンの強い要請から、部品点数を可能な限り削減していく傾向にあり、その顕著なるものとして、回路基板の機能をＴＣＰに持たせる技術を採用することで、結果的に回路基板を削減することが提案されている。しかし、上記した従来の液晶表示装置では、そもそも回路基板１０４をフック部１１０で保持することにより、間接的にＴＣＰ１０３の戻り移動を規制しているため、回路基板１０４なくしては折り曲げられたＴＣＰ１０３を筐体１０１の側面に保持することは困難である。仮に、ＴＣＰ１０３が保持されない場合は、ＴＣＰ１０３は折り曲げられることなく筐体１０１の上面と平行に延在することになり、液晶表示装置の大型化を招いてしまう。
【０００７】
そこで、本発明は、上記の問題に鑑みてなされたものであり、弾性的に折り曲げられたテープ状の回路部品を確実に筐体の側面に保持できる表示装置を提供することを目的とするものである。
【０００８】
【課題を解決するための手段】
上記目的を達成するため、本発明による表示装置は、筐体の上面に載置された表示パネルと、この表示パネルに一端部が接続され、弾性的に折り曲げられて前記筐体の側面に配置されたテープ状の回路部品と、よりなっていて、前記筐体の側面に、前記回路部品の他端部が挿し込まれ前記回路部品の弾性的な戻り移動を規制する規制部材と、前記他端部に対向する凹部と、を設けている。
【０００９】
また、本発明の表示装置は、筐体の上面に載置された表示パネルと、この表示パネルに一端部が接続され、弾性的に折り曲げられて前記筐体の側面に配置されたテープ状の回路部品と、よりなっていて、前記筐体の側面に、前記回路部品の両側部各々が挿し込まれ前記回路部品の弾性的な戻り移動を規制する一対の規制部材と、前記両側部各々に対向する一対の凹部と、を設けてもよい。
【００１０】
これにより、規制部材と凹部との間隙に、折り曲げられた回路部品の他端部や両側部各々を筐体の横方向から押し入れて挿し込むことが可能となり、挿し込まれたその他端部や両側部各々は規制部材によって戻り移動が規制され、その回路部品は筐体の側面に確実に保持されることになる。
【００１１】
【発明の実施の形態】
以下に、本発明の実施形態について図面を参照しながら詳述する。先ず、本発明の第１実施形態の表示装置について説明する。図１は第１実施形態の表示装置の一例である液晶表示装置の上面及び一側面を部分的に示す斜視図、図２は図１のＡ−Ａ断面図である。
【００１２】
図１及び図２に示すように、液晶表示装置は、大きくは、外枠を構成する筐体１、この筐体１の上面に載置された表示パネルである液晶パネル２、この液晶パネル２に一端部３ａが接続された可撓性を有するテープ状の回路部品であるＴＣＰ３、液晶パネル２の下方に配置されＬＥＤ等の光源（不図示）からの光をバックライトとして液晶パネル２へ導くための導光板５、この導光板５の上面に貼着された偏光板等の光学シート６、導光板５の下面に貼着された反射シート７、筐体１内に固定され光学シート６及び反射シート７を含む導光板５を収容して保持する金属製の保持板８、より構成される。
【００１３】
これらのうちＴＣＰ３は、液晶パネル２駆動用として従来用いられていた回路基板の機能をも併せ持つように、ＬＳＩやＩＣ等、更には制御部（不図示）への接続用のコネクタ等が搭載されている。こうして、本実施形態では、従来の回路基板が不要となっている。また、ＴＣＰ３は、筐体１の側面の上端角部に相当する位置に、折曲し易い厚さの薄いスリット部３ｃを有しており、このスリット部３ｃで弾性的に折り曲げられて筐体１の側面に配置されている。
【００１４】
ここで、折り曲げられたＴＣＰ３は筐体１の側面に配置されるわけであるが、その際、ＴＣＰ３の他端部３ｂ側には、スリット部３ｃを中心に折り曲げ方向とは反対の方向に弾性的な戻り力が作用する（図２中の白抜き矢印参照）。そのため、この液晶表示装置には、その戻り力によるＴＣＰ３の戻り移動を規制して、ＴＣＰ３を筐体１の側面に確実に保持する工夫が施されている。
【００１５】
つまり本実施形態では、筐体１の側面には、折り曲げられたＴＣＰ３の他端部３ｂに相当する位置に、その他端部３ｂが挿し込まれＴＣＰ３の弾性的な戻り移動を規制する規制部材４が設けられている。更に筐体１の側面には、その他端部３ｂに対向する領域、すなわち規制部材４の上端より若干上方から下端にかけての領域に、凹部１ａが形成されている。
【００１６】
これにより、表示装置の組立の際、規制部材４と凹部１ａとの間隙に、折り曲げられたＴＣＰ３の他端部３ｂを筐体１の横方向から押し入れて挿し込むことが可能となる。そして、挿し込まれたその他端部３ｂは規制部材４によって戻り移動が規制され、そのＴＣＰ３は筐体１の側面に確実に保持されることになる。
【００１７】
なお本実施形態では、筐体１の側面に配置されたＴＣＰ３の位置ズレを防止する観点から、筐体１の側面には、ＴＣＰ３を収容しその両側部３ｄ各々の端面を拘束するためのＴＣＰ３の幅とほぼ同一の溝部１ｂが形成されており、その上で上記の規制部材４と凹部１ａが設けられている。
【００１８】
従って、表示装置の小型化を確保でき、しかも、回路基板の削減によるコストダウンを達成できる。また、ＴＣＰ３の他端部３ｂを規制部材４と凹部１ａとの間隙に押し入れる際、ＴＣＰ３には横方向に負荷が与えられる一方で上方向に負荷が与えられないため、ＴＣＰ３の一端部３ａが液晶パネル２から不用意に剥がれて断線することは少ない。また、筐体１へのＴＣＰ３の保持が固着や締結等によるものではないため、ＴＣＰ３の着脱が容易であり、液晶パネル２とともになされる故障時の交換作業も簡単に行える。
【００１９】
ところで、筐体１の側面に凹部１ａを設けた理由は、上記のようにＴＣＰ３の他端部３ｂを規制部材４を超えて横方向から押し入れ易くするための他に、次の理由がある。筐体１は主として樹脂製であって成型加工によって成形されるが、この成型加工では厚さの薄い空間を精度よく形成することは難しい。一方本実施形態では、コスト低減の観点から、規制部材４と筐体１とを成型加工で一体的に成形するようにしている。そこで、凹部１ａを設けることで厚い空間を確保し、成型加工を容易にしているわけである。
【００２０】
次に、本発明の第２実施形態について図３及び図４を参照しながら説明する。図３は第２実施形態の表示装置の一例である液晶表示装置の上面及び一側面を部分的に示す斜視図、図４は図３のＢ−Ｂ断面図である。なお、図中で図１及び図２と同じ名称の部分には同一の符号を付し、重複する説明は適宜省略する。後述する第３実施形態においても同様とする。
【００２１】
本第２実施形態の特徴は、第１実施形態における規制部材４及び凹部１ａの位置を変えた点にある。つまり本実施形態では、図３及び図４に示すように、筐体１の側面には、折り曲げられたＴＣＰ３の両側部３ｄ各々に相当する位置に、その両側部３ｄ各々が挿し込まれＴＣＰ３の弾性的な戻り移動を規制する一対の規制部材４が設けられている。更に筐体１の側面には、その両側部３ｄ各々に対向する領域、すなわち規制部材４各々の各先端より若干内方から各基端にかけての領域に、凹部１ａが形成されている。
【００２２】
これにより、表示装置の組立の際、各規制部材４と各凹部１ａとの間隙に、折り曲げられたＴＣＰ３の両側部３ｄ各々を筐体１の横方向から押し入れて挿し込むことが可能となる。そして、挿し込まれたその両側部３ｄ各々は各規制部材４によって戻り移動が規制され、第１実施形態と同様、そのＴＣＰ３は筐体１の側面に確実に保持されることになる。
【００２３】
次に、本発明の第３実施形態について図５及び図６を参照しながら説明する。図５は第３実施形態の表示装置の一例である液晶表示装置の上面及び一側面を部分的に示す斜視図、図６は図５のＣ−Ｃ断面図である。
【００２４】
本第３実施形態の特徴は、第１、第２実施形態における規制部材４が筐体１と別個に成形された点にある。つまり、本実施形態では、図５及び図６に示すように、凹部１ａを含む筐体１は、主として樹脂製であって成型加工で成形されており、一方規制部材４は、金属板からプレス加工等で成形され、接着剤による固着やボルトによる締結等で筐体１の側面に固定されている。このようにすれば、部品点数が増えるが、素材コストの安価な金属板を規制部材４として用いることが可能となるため、実質的にコスト抑制が図れる。
【００２５】
その他本発明は上記の各実施形態に限定されず、本発明の趣旨を逸脱しない範囲で、種々の変更が可能である。例えば上記各実施形態では、規制部材４は、ＴＣＰ３の他端部３ｂや両側部３ｄのほぼ全域に亘って設けられているが、ＴＣＰ３の戻り移動を規制できる限り、一部に設けられていても構わない。また、第１実施形態と第２実施形態の規制部材４及び凹部１ａを組み合わせたものであってもよい。また、ＴＣＰ３を複数有する場合は、個々のＴＣＰ３毎にそれぞれ規制部材４及び凹部１ａを設けることも勿論可能である。なお各図面において、ＴＣＰ３が配置される筐体１の側面が筐体１の上面に対し傾斜面で示されているが、これに限らず、垂直面であってもよい。
【００２６】
【発明の効果】
以上説明した通り、本発明の表示装置によれば、筐体の上面に載置された表示パネルと、この表示パネルに一端部が接続され、弾性的に折り曲げられて前記筐体の側面に配置されたテープ状の回路部品と、よりなる表示装置において、前記筐体の側面に、前記回路部品の他端部が挿し込まれ前記回路部品の弾性的な戻り移動を規制する規制部材と、前記他端部に対向する凹部と、を設けたり、前記筐体の側面に、前記回路部品の両側部各々が挿し込まれ前記回路部品の弾性的な戻り移動を規制する一対の規制部材と、前記両側部各々に対向する一対の凹部と、を設けたりするので、規制部材と凹部との間隙に、折り曲げられた回路部品の他端部や両側部各々を筐体の横方向から押し入れて挿し込むことが可能となり、挿し込まれたその他端部や両側部各々は規制部材によって戻り移動が規制され、その回路部品は筐体の側面に確実に保持される。従って、表示装置の小型化を確保しつつ、回路基板の削減によるコストダウンを達成できる。
【図面の簡単な説明】
【図１】本発明の第１実施形態である表示装置の上面及び一側面を部分的に示す斜視図である。
【図２】図１のＡ−Ａ断面図である。
【図３】本発明の第２実施形態である表示装置の上面及び一側面を部分的に示す斜視図である。
【図４】図３のＢ−Ｂ断面図である。
【図５】本発明の第３実施形態である表示装置の上面及び一側面を部分的に示す斜視図である。
【図６】図５のＣ−Ｃ断面図である。
【図７】従来の表示装置の要部を示す縦断面図である。
【符号の説明】
１    筐体
１ａ    凹部
１ｂ    溝部
２    液晶パネル（表示パネル）
３    ＴＣＰ（回路部品）
３ａ    一端部
３ｂ    他端部
３ｃ    スリット部
３ｄ    両側部
４    規制部材
【図１】
2004177531.tif 000003
【図２】
2004177531.tif 000004
【図３】
2004177531.tif 000005
【図４】
2004177531.tif 000006
【図５】
2004177531.tif 000007
【図６】
2004177531.tif 000008
【図７】
2004177531.tif 000009